(57)【要約】【課題】日めくり式の短冊形のカレンダーの各紙に、それぞれ異る諺を表記し、多くの諺を記憶できるようにした。【解決手段】カレンダー１を構成する３１枚の各紙２の表面に、１から３１までの数字を順番に付する数字表示部１１を設けると共に、各紙表面のそれぞれに、異る諺表示部１３と、その諺の寓意漫画表示部１２と、その諺の解説文表示部１４とを設けた。【選択図】　図１
2004130567.tif 000002
【特許請求の範囲】
【請求項１】
短冊形とし、かつほぼ同一大きさに設けた３１枚の紙２を重ね、各紙上端部において複数のリング４により、これ等リングを中心とする回動が可能に閉じ合せした吊下げ式カレンダー１であって、
各紙表面には日日を表示する、１から３１までの数字を、１枚目から３１枚目まで順番に表示する数字表示部１１を設けると共に各紙にそれぞれ異る諺の諺表示部１３と、それ等各諺の解説文表示部１４と、各諺の寓意漫画表示部１２とを設けた
ことを特徴とする諺カレンダー。
【請求項２】
上記各諺に対応する類句、ないし対句表示部１５を上記各紙表面に設けると共に、各紙上に表示させたすべての漢字には、それぞれふりがなを付設した
ことを特徴とする、請求項１記載の諺カレンダー。
【発明の詳細な説明】
【０００１】
【発明の属する技術分野】
本発明は諺カレンダーに関する。
【０００２】
【従来の技術】
格言等を表記した短冊形の多数の紙を重ね、各紙上端部において、複数のリングにより各紙をめくることが可能に閉じた、日めくり式の格言集が広く用いられている。
【０００３】
【発明が解決しようとする課題】
上記格言集は心のいましめとして用いられているが、格言に似たものとして諺があり、諺は教訓、諷刺等を寓する句として日常生活において使用され、又役立つことが多い。
【０００４】
本発明は、そのような諺を、寓意漫画および解説文と共に、日めくり用のカレンダー紙に表示させ、主として小中学生等が、楽しく、かつ正確に諺を記憶できるよう設けたものである。
【０００５】
【課題を解決するための手段】
第１の手段として短冊形とし、かつほぼ同一大きさに設けた３１枚の紙２を重ね、各紙上端部において複数のリング４により、これ等リングを中心とする回動が可能に閉じ合せした吊下げ式カレンダー１であって、
各紙表面には日日を表示する、１から３１までの数字を、１枚目から３１枚目まで順番に表示する数字表示部１１を設けると共に各紙にそれぞれ異る諺の諺表示部１３と、それ等各諺の解説文表示部１４と、各諺の寓意漫画表示部１２とを設けた。
【０００６】
第２の手段として、上記第１の手段を有すると共に上記各諺に対応する類句、ないし対句表示部１５を上記各紙表面に設けると共に、各紙上に表示させたすべての漢字には、それぞれふりがなを付設した。
【０００７】
【発明の実施の形態】
以下図面について説明すると、１は日めくり式のカレンダーの全体を示す。該カレンダーは、短冊形とし、かつほぼ同一大きさとした３１枚の紙２を、重ねて各紙上端部に複数の透孔３を並設させ、又重ね合わされた各透孔毎にリング４を通して、既述格言集等においてみられるように、上記３１枚の紙を一枚宛各リングを中心として回動させてめくることが可能に閉じている。又それ等各リング４の上部内には左右方向中間部を半円状に弯曲６させた吊下げ棒５を通し、上記弯曲部分を柱等に植設させた釘等への掛け吊り部としている。尚上記各紙上端部の左右方向中間部には、各紙をめくるに際して、上記弯曲６が邪魔とならないよう、半円状の凹部７を設けている。
【０００８】
上記カレンダーを構成する各紙２の表面は、日日を表示する、１から３１までのうちの１つの数字を表示する数字表示部１１と、選定した特定諺の寓意漫画表示部１２と、該寓意漫画により表現する諺表示部１３と、該諺解説文の表示部１４と、該諺の類句ないし対句の表示部１５とに区分している。
【０００９】
尚該類句、ないし対句の表示部１５は、必ずしも必要とせず、必要により設ければよい。
【００１０】
図示例の場合、各表示部は線で囲っているが、その線はなくでもよく、線はなくとも該当部分に数字、画、文章等を印刷することで、表示することが出来る。
【００１１】
上記数字表示部１１は、図が示すように紙左右方向中間の上部に設けるとよい。各紙の数字表示部内に印刷された数字は、１から３１までの数字のうちの１つとし、各紙に付された数字はそれぞれ異るものとし、１から３１までの数字を有する紙を、順番に重ねる。
【００１２】
寓意漫画表示部１２は、図示例において上記数字表示部１１下方に設けており、該表示部において表示する寓意漫画は、諺の理解および記憶を助けるためのものであるから、見て楽しく、興味がわくように多色印刷で表示するとよい。
【００１３】
寓意漫画２１としては、例えば諺が「石の上にも三年」であれば、図２が示すように庭に置かれた大石２２の上で、小僧さん２３が風雨にさらされ乍ら座禅している姿を漫画で表現することが考えられる。
【００１４】
諺表示部１３は、上記寓意漫画表示部１２の下方の左右いずれかの一方へ、好ましくは右方へ、大きい文字で一行ないし二行で表示するとよい。上記例であれば「石の上にも三年」と縦書きする。
【００１５】
諺解説文の表示部１４は、諺表示部１３の左右のいずれか、好ましくは左方へ小文字で表示する。諺解説文は、諺の直接の意味と、その諺の由来等とを併記することが望ましい。
【００１６】
上記例であれば、解説文として、「たとえどんなにつらく苦しいことでも、根気強くしんぼうすれば、かならずよい結果が得られるというたとえ」とすればよく、又由来等としては、「冷たい石の上でも、三年間座り続ければあたたかくなるという意味から」とすればよい。
【００１７】
類句ないし対句の表示部１５は、諺表示部１３ないし諺解説文表示部１４の側方へ設ければよく、小文字で表示する。
【００１８】
上記諺であれば、「災いも三年たてば用に立つ。」「待てば海路の日和あり」を類句とすることが出来よう。
【００１９】
既述諺、解説文、類句および対句等に用いている漢字には、すべてふりがなを施すことが望ましい。
【００２０】
上記諺カレンダーの大きさは、横巾が約１５ｃｍ、縦巾が約３０ｃｍ程度とするとよく、居間の柱、壁等に吊下げ、毎日めくってカレンダーとして使用する。
【００２１】
【発明の効果】
本発明は既述構成とするもので、請求項１の場合は諺を文字と寓意漫画とで表示させたから、興味をもって楽しく読むことが出来、又諺を表現する寓意漫画を付設させたから、その寓意漫画が当該諺の記憶に役立つこととなる。更にそれ等諺および寓意漫画等を有する紙を日めくりのカレンダー用紙としたから、月に一度は同じ諺等を見ることとなり、繰返して見ることで記憶に役立てることが出来る。
【００２２】
請求項２のようにすることで、紙面に表示されている諺の類句、又対句も知ることが出来ると共に、ふりがなさえ読めれば、誰でも漢字を読めることとなり、上記諺カレンダーに使用されている漢の読解力を高めるうえでも役立てることが出来る。
【図面の簡単な説明】
【図１】本発明カレンダーの絡解斜視図である。
【図２】寓意漫画の一例を示す図面である。
【符号の説明】
１…カレンダー　　　　　　　　　　２…紙
１１…数字表示部　　　　　　　　１２…寓意漫画表示部
１３…諺表示部　　　　　　１４…諺解説文表示部
１５…類句、対句表示部
【図１】
2004130567.tif 000003
【図２】
2004130567.tif 000004